(57)【特許請求の範囲】
【請求項１】
ドクターブレードと、このドクターブレードを支持しているブレード支持機構とを有し、回転しているロールの外周面に前記ドクターブレードを押し付けることにより当該ロール外周面から異物を掻き落とすドクター装置において、
前記ドクターブレードは前記ロールの幅方向に配列した複数のドクターブレード片から構成されており、
前記ブレード支持機構は、
前記ドクターブレード片のそれぞれを、当該ブレード片の長手方向に、前記ロール外周面に接触および離間するように移動可能に支持しているブレード片支持部と、
各ドクターブレード片を個別に当該ブレード片の長手方向に前記ロール外周面に向けて弾性力によって押しつけている弾性押し付け部とを備え、
前記それぞれのドクターブレード片を、当該ドクターブレードの刃先と前記ロールの外周面との間に異物が詰まった際に、異物が詰まった箇所の前記ドクターブレード片が前記ロールの外周面から跳ね上がり、跳ね上がった後に前記弾性力によって再び前記ロール外周面に押し戻される動作を繰り返して、異物を除去するように支持していることを特徴とするドクター装置。
【請求項２】
請求項１において、
前記ブレード片支持部は、前記ドクターブレードを挟み、その上下に配置されている上下のブレード保持板と、前記ドクターブレード片が前記ドクターブレードの幅方向にずれないように前記ドクターブレードの両端を拘束しているずれ止め部材と、前記ドクターブレード片が前記上下のブレード保持板の間から脱落することを防止している脱落防止部材とを備えていることを特徴とするドクター装置。
【請求項３】
請求項２において、
前記弾性押しつけ部は、前記ドクターブレード片の後端に対して接近および離れる方向に移動可能な状態で前記上下のブレード保持板の間に配置したチューブ押さえ板と、前記ドクターブレード片の後端と前記チューブ押さえ板の間に挟まれているエアーチューブと、前記チューブ押さえ板の位置を規定している位置調整具とを備えており、
前記エアーチューブは、その内部に供給される空気圧に応じて、伸縮可能な素材から形成されていることを特徴とするドクター装置。
【請求項４】
請求項２において、
前記弾性押しつけ部は、前記ドクターブレード片の後端に対して接近および離れる方向に移動可能な状態で前記上下のブレード保持板の間に配置した押さえ板と、この押さえ板を前記ドクターブレード片の後端に押しつけている圧縮状態のコイルばねとを備えていることを特徴とするドクター装置。
【発明の詳細な説明】
【０００１】
【発明の属する技術分野】
本発明は、抄紙機や塗工機等で使用するロール外周面に付着している紙滓、塗工液、塗工滓等を掻き落とすために使用するドクター装置に関し、更に詳しくは、ドクターブレードとロール外周面の間に溜まった紙滓、塗工滓等の異物を自動的に振り落とすことのできるドクター装置に関するものである。
【０００２】
【従来の技術】
抄紙機や塗工機で使用するロール用のドクター装置は、ドクターブレードと、このドクターブレードの刃先を所定の圧接力でロール外周面に押し付け可能なブレード保持機構とを有している。動作時には、回転しているロール外周面に対してドクターブレードの刃先を押しつけることにより、当該ロール外周面に付着している異物をドクターブレードによって掻き落とすようになっている。
【０００３】
【発明が解決しようとする課題】
掻き落とし動作中において、ドクターブレードの刃先によって掻き落とされた紙滓、塗工滓等の異物がドクターブレードの刃先とロール外周面の間に詰まると、当該異物が核となってより多くの異物が詰まった状態に陥ってしまう。この結果、ドクターブレードのロール外周面に対する圧接力が低下し、ひいていは、ドクターブレードの刃先がロール外周面から離れてしまい、ロール外周面の異物の掻き取り不良が発生する。
【０００４】
このような事態に陥った場合には、ロールの回転を止めて、人手によって、ロール外周面とドクターブレードの刃先の間に挟まっている異物を除去する必要がある。
【０００５】
しかしながら、このような異物除去作業は、ロールの回転を止める必要があるので運転効率が低下し、また、人手に頼っているので作業性が悪いという問題点がある。
【０００６】
本発明の課題は、ドクターブレードの刃先とロール外周面の間に異物が詰まった場合に、ロール回転を停止することなく、また人手に頼ることなく、自動的に、詰まった異物を除去することのできるドクター装置を提案することにある。
【０００７】
【課題を解決するための手段】
上記の課題を解決するために、本発明は、ドクターブレードと、このドクターブレードを支持しているブレード支持機構とを有し、回転しているロールの外周面に前記ドクターブレードを押し付けることにより当該ロール外周面から異物を掻き落とすドクター装置において次の構成を採用したことを特徴としている。
【０００８】
すなわち、前記ドクターブレードは前記ロールの幅方向に配列した複数のドクターブレード片から構成されており、前記ブレード支持機構は、前記ドクターブレード片のそれぞれを、当該ブレード片の長手方向に、前記ロール外周面に接触および離間するように、移動可能に支持しているブレード片支持部と、各ドクターブレード片を個別に当該ブレード片の長手方向に前記ロール外周面に向けて弾性力によって押しつけている弾性押し付け部とを備え、前記それぞれのドクターブレード片を、当該ドクターブレードの刃先と前記ロールの外周面との間に異物が詰まった際に、異物が詰まった箇所の前記ドクターブレード片が前記ロールの外周面から跳ね上がり、跳ね上がった後に前記弾性力によって再び前記ロール外周面に押し戻される動作を繰り返して、異物を除去するように支持していることを特徴としている。
【０００９】
また、前記ブレード片支持部は、前記ドクターブレードを挟み、その上下に配置されている上下のブレード保持板と、前記ドクターブレード片が前記ドクターブレードの幅方向にずれないように当該ドクターブレードを拘束しているずれ止め部材と、前記ドクターブレード片のそれぞれが上下のブレード保持板の間から脱落することを防止する脱落防止部材とを備えた構成とすることができる。
【００１０】
上記の弾性押しつけ部は、前記ドクターブレード片の後端に対して接近および離れる方向に移動可能な状態で前記上下のブレード保持板の間に配置したチューブ押さえ板と、前記ドクターブレード片の後端と前記チューブ押さえ板の間に挟まれているエアーチューブと、前記チューブ押さえ板の位置を規定している位置調整具とを備えた構成とすることができる。ここで、エアーチューブは、その内部に供給される空気圧に応じて、伸縮可能な素材から形成することができる。
【００１１】
弾性押しつけ部としては、エアーチューブの代わりに、コイルばねを用いた構成とすることもできる。
【００１２】
このように構成した本発明のドクター装置では、ドクターブレードを構成している各ドクターブレード片が個別にロール外周面に対して接近および離れる方向に移動可能な状態でロール外周面に押しつけられている。従って、ドクターブレード片とロール外周面の間に紙滓等が詰まると、それに伴って、当該ドクターブレード片が弾性力に逆らってロール外周面から跳ね上がる。このような跳ね上がり動作が自動的に繰り返されることにより、各ドクターブレード片とロール外周面の間に詰まった異物が自動的に除去される。
【００１３】
【発明の実施の形態】
以下に図面を参照して本発明を適用したドクター装置を説明する。
（第１の実施例）
図１（ａ）、（ｂ）は、本例の抄紙機ロール用ドクター装置の概略断面構成図、および矢印ｂの方向から見た場合の矢視図である。これらの図を参照して説明すると、本例のドクター装置１は、ドクターブレード２と、このドクターブレード２を支持しているブレード支持機構３とを有し、回転している抄紙機ロール１０の外周面１１にドクターブレード２の刃先２ａを押し付けることにより当該ロール外周面１１から異物を掻き落とすものである。
【００１４】
ドクターブレード２は複数のドクターブレード片、本例では同一形状をした６枚のドクターブレード片２１〜２６から構成されている。ブレード支持機構３は、ドクターブレード片２１〜２６のそれぞれを、ロール外周面１１に接近する方向および離れる方向に移動可能に支持しているブレード片支持部４と、各ドクターブレード片２１〜２６をロール外周面１１に向けて弾性力によって押しつけている弾性押し付け部７とを備えている。
【００１５】
さらに詳細に説明すると、ドクターブレード２は長方形をしており、６枚の短冊状のドクターブレード片２１〜２６をブレード幅方向に配列することにより構成されている。各ドクターブレード片２１〜２６は、相互に隣接している側面が他方の側面に摺動可能な状態で接触している。各ドクターブレード片２１〜２６の幅は例えば１５ｍｍであり、これらを配列することにより構成されるドクターブレード２の幅は９０ｍｍである。また、各ドクターブレード片２１〜２６の厚さとその長さは、例えば厚さ１０ｍｍ、長さ１００ｍｍである。また、それらの刃先２１ａ〜２６ａの断面形状は、刃先面２１１〜２１６に向けて先細りとなっており、刃先面２１１〜２１６はロール外周面１１に合わせた形状とされている。
【００１６】
ブレード片支持部４は、このドクターブレード２の上下に平行に配置した上ブレード保持板４１と、下ブレード保持板４２を備え、これらのブレード保持板４１、４２の後端はブレード支持板４３に固着されている。これらのブレード保持板４１、４２に挟まれているドクターブレード２がロール外周面１１に対して接近および後退する方向に移動できるように、各ブレード保持板４１、４２との間に僅かの隙間が開いている。
【００１７】
また、ブレード片支持部４は、ドクターブレード２を構成しているドクターブレード片２１〜２６が幅方向にずれないように、両側がそれぞれ一対のずれ止めビス５１、５２および５３、５４によって幅方向への移動が拘束されている。各ずれ止めビス５１〜５４は、上ブレード保持板４１にねじ込まれ、それらの脚先端が下ブレード保持板４２の近傍に達した状態となっている。
【００１８】
さらに、ブレード保持部４は各ドクターブレード片２１〜２６が上下ブレード保持板４１、４２の間から脱落することの無いように、脱落防止用ビス６１〜６６によって保持されている。すなわち、各ドクターブレード片２１〜２６には、その中程の位置に、ドクターブレードの移動方向（ドクターブレード前後方向）に長い貫通孔２１ｂ〜２６ｂが形成されている。各脱落防止用ビス６１〜６６は、上ブレード保持板４１にねじ込まれ、それらの脚が各ドクターブレード片の貫通孔２１ｂ〜２６ｂを貫通して、下ブレード保持板４２の近傍位置に達した状態となっている。
【００１９】
次に、各ドクターブレード片２１〜２６をロール外周面１１に向けてブレード片の長手方向に弾性力によって押しつけている弾性押し付け部７は、エアーチューブ７１と、チューブ押さえ板７２と、位置調整ボルト７３、７４、７５を備えている。エアーチューブ７１およびチューブ押さえ板７２は、上下ブレード保持板４１、４２の間に配置されている。詳細に説明すると、ドクターブレード片２１〜２６の後端とブレード支持板４３の間に、チューブ押さえ板７２がブレード前後方向（ブレード片の長手方向）に移動可能に配置され、このチューブ押さえ板７２によってエアーチューブ７１がドクターブレード片の後端に押しつけられている。
【００２０】
チューブ押さえ板７２とブレード支持板４３の間には隙間Ｇがあり、当該チューブ押さえ板７２は、ドクターブレード幅方向に等間隔で配置した３本の位置調整ボルト７３〜７５の脚先端に支持されており、位置調整ボルト７３〜７５はブレード支持板４３にねじ込まれており、その頭部７３ａ〜７５ａを回すことにより、チューブ押さえ板７２の位置を前後に調整できる。
【００２１】
エアーチューブ７１は可撓性の金属素材からなるチューブであり、その一端７１ａの側は、バンド止め７６によって接続されたエアーホース（図示せず）を介して圧縮空気源（図示せず）に接続可能であり、その他端７１ｂの側は、バンド止め７７によって接続されたエアーチューブ（図示せず）を介して排気側に接続可能となっている。
【００２２】
従って、エアーチューブ７１の内圧を調整することにより、また、位置調整ボルト７３〜７５によってチューブ押さえ板７２の位置を調整することにより、ドクターブレード片２１〜２６に対する弾性押しつけ力を調整できる。すなわち、ドクターブレード片２１〜２６の刃先２１ａ〜２６ａのロール外周面１１に対する圧接力を調整できる。
【００２３】
本例のドクター装置１は、図１（ａ）から分かるように、ロール１０の上方に配置されており、ドクターブレード片２１〜２６の傾斜角度がロール外周面１１に対して６０度となるように設定されている。
【００２４】
このように構成したドクター装置１においては、各ドクターブレード片２１〜２６は独立してロール外周面１１に対して接近および離れる方向（ブレード前後方向）に移動できる。また、各ドクターブレード片２１〜２６は、エアーチューブ７１によってロール外周面１１に弾性力によって押しつけられている。
【００２５】
従って、各ドクターブレード片２１〜２６とロール外周面１１に間に紙滓が詰まった場合には、紙滓が詰まった部分のドクターブレード片が弾性力に逆らってロール外周面１１から跳ね上がる。この結果、詰まった紙滓がこれらの間から除去される。ドクターブレード片は跳ね上がった後にエアーチューブ７１の弾性力によって再びロール外周面１１の側に押し戻される。従って、一旦、ドクターブレード片が跳ね上がると、ドクターブレード片は跳ね上がり動作を繰り返し、最終的には当該動作が収束して、ドクターブレード片は再びロール外周面１１に押し付けられた状態に戻る。
【００２６】
このように、ドクターブレードの跳ね上がりによって、詰まった紙滓が、ドクターブレード片の刃先とロール外周面の間から除去される。また、ドクターブレード片の跳ね上がり動作の繰り返しによる振動によって、ドクターブレードの刃先とロール外周面の間に詰まった紙滓が確実に除去される。よって、本例のドクター装置によれば、ドクターブレードの刃先とロール外周面の間に詰まった紙滓等の異物を自動的に、しかも確実に除去することができる。
（第２の実施例）
図２（ａ）、（ｂ）には本発明を適用したドクター装置の別の例を示す概略断面構成図および矢印ｂの方向からみた場合の矢視図である。本例のドクター装置１００は、ドクターブレードをコイルばねを用いてロール外周面に押しつけるように構成されている。それ以外の構成部分は前述したドクター装置１と同様である。
【００２７】
詳細に説明すると、本例のドクター装置１００も、ドクターブレード１２０と、このドクターブレード１２０を支持しているブレード支持機構１３０とを有し、回転している抄紙機ロール１１０の外周面１１１にドクターブレード１２０の刃先１２０ａを押し付けることにより当該ロール外周面１１１から異物を掻き落とすものである。
【００２８】
ドクターブレード１２０は複数のドクターブレード片、本例では同一形状をした６枚のドクターブレード片１２１〜１２６から構成されている。ブレード支持機構１３０は、ドクターブレード片１２１〜１２６のそれぞれを、ロール外周面１１１に接近する方向および離れる方向に移動可能に支持しているブレード片支持部１４０と、各ドクターブレード片１２１〜１２６をロール外周面１１１に向けて弾性力によって押しつけている弾性押し付け部１７０とを備えている。
【００２９】
ドクターブレード１２０は長方形をしており、６枚の短冊状のドクターブレード片１２１〜１２６をブレード幅方向に配列することにより構成されている。各ドクターブレード片１２１〜１２６は、相互に隣接している側面が他方の側面に摺動可能な状態で接触している。各ドクターブレード片１２１〜１２６の幅は例えば１５ｍｍであり、これらを配列することにより構成されるドクターブレード１２０の幅は９０ｍｍである。また、各ドクターブレード片１２１〜１２６の厚さは例えば１０ｍｍであり、その長さは例えば１００ｍｍである。また、それらの刃先１２１ａ〜１２６ａの断面形状は、刃先面３１１〜３１６に向けて僅かに先細りとなっており、刃先面３１１〜３１６はロール外周面１１１に合わせた形状とされている。
【００３０】
ブレード片支持部１４０は、このドクターブレード１２０の上下に平行に配置した上ブレード保持板１４１および下ブレード保持板１４２を備え、これらのブレード保持板１４１、１４２の後端はブレード支持板１４３に固着されている。これらのブレード保持板１４１、１４２の間には、ドクターブレード１２０がロール外周面１１１に対して接近および後退する方向に移動可能に配置されている。
【００３１】
また、ブレード片支持部１４０は、ドクターブレード１２０を構成しているドクターブレード片１２１〜１２６が幅方向にずれないように、両側がそれぞれ一対のずれ止めビス１５１、１５２および１５３、１５４によって幅方向への移動が拘束されている。各ずれ止めビス１５１〜１５４は、上ブレード保持板１４１にねじ込み固定されている。
【００３２】
さらに、ブレード片保持部１４０は各ドクターブレード片１２１〜１２６が上下ブレード保持板１４１、１４２の間から脱落することの無いように、脱落防止用ビス１６１〜１６６によって保持されている。すなわち、各ドクターブレード片１２１〜１２６には、その中程の位置に、ドクターブレードの移動方向（ドクターブレード前後方向）に長い貫通孔１２１ｂ〜１２６ｂが形成されている。各脱落防止用ビス１６１〜１６６は、上ブレード保持板１４１にねじ込み固定されている。
【００３３】
次に、各ドクターブレード片１２１〜１２６をロール外周面１１に向けてブレード片の長手方向に弾性力によって押しつけている弾性押し付け部１７０は、コイルばね１７１〜１７６と、このコイルばね１７１〜１７６とドクターブレード片１２１〜１２６の後端の間に配置されている押さえ板１８１〜１８６と、コイルばね１７１〜１７６とブレード支持板１４３の間に配置されているばね受け１９１〜１９６と、これらコイルばね１７１〜１７６、押さえ板１８１〜１８６およびばね受け１９１〜１９６を遊びのある状態で貫通している調整用ボルト２０１〜２０６とを備えている。
【００３４】
調整用ボルト２０１〜２０６は、ブレード支持板１４３のねじ孔にねじ込まれており、それらの頭部は、支持片３２１に固着されている。支持片３２１はスペーサ３２２および取り付けボルト３２３によって支持板１４３の側に取り付けられている。
【００３５】
従って、各ドクターブレード片１２１〜１２６をロール外周面１１１に押しつけると、コイルばね１７１〜１７６が圧縮して、所定の弾性力によって各ドクターブレード片１２１〜１２６はロール外周面１１１に押しつけられた状態が形成される。また、各ドクターブレード片１２１〜１２６は、別個独立して、ロール外周面１１１に接近する方向および離れる方向に移動可能である。
【００３６】
なお、本例のドクター装置１００も、ロール１１０の上方に配置されており、ドクターブレード片１２１〜１２６の傾斜角度がロール外周面１１１に対して６０度となるように設定されている。
【００３７】
このように構成したドクター装置１００においては、各ドクターブレード片１２１〜１２６は独立してロール外周面１１１に対して接近および離れる方向（ブレード前後方向）に移動できる。また、各ドクターブレード片１２１〜１２６は、コイルばね１７１〜１７６によってロール外周面１１１に弾性力によって押しつけられている。
【００３８】
従って、各ドクターブレード片１２１〜１２６とロール外周面１１１に間に紙滓が詰まった場合には、紙滓が詰まった部分のドクターブレード片が弾性力に逆らってロール外周面１１１から跳ね上がる。この結果、詰まった紙滓がこれらの間から除去される。ドクターブレード片は跳ね上がった後にはコイルばねのばね力によって再びロール外周面１１の側に押し戻される。従って、一旦、ドクターブレード片が跳ね上がると、ドクターブレード片は跳ね上がり動作を繰り返し、最終的には当該動作が収束して、ドクターブレード片は再びロール外周面１１１に押し付けられた状態に戻る。
【００３９】
このように、ドクターブレードの跳ね上がりによって、詰まった紙滓が、ドクターブレード片の刃先とロール外周面の間から除去される。また、ドクターブレード片の跳ね上がり動作の繰り返しによる振動によって、ドクターブレードの刃先とロール外周面の間に詰まった紙滓が確実に除去される。よって、本例のドクター装置によっても前述したドクター装置１と同様に、ドクターブレードの刃先とロール外周面の間に詰まった紙滓等の異物を自動的に、しかも確実に除去することができる。
（その他の実施の形態）
なお、ドクターブレードを構成しているドクターブレード片の枚数、寸法等は上記の例に限定されるものではない。また、弾性押しつけ部の構造も、エアーチューブ、コイルばねの代わりの板ばね等のばね部材、弾性部材からなる弾性力発生機構を採用することができる。
【００４０】
【発明の効果】
以上説明したように、本発明のドクター装置では、ドクターブレードを複数のドクターブレード片から構成し、各ドクターブレード片を個別にロール外周面に対して接近および離れる方向に移動可能に保持し、各ドクターブレード片を弾性力によってロール外周面に押しつけた構成を採用している。
【００４１】
従って、本発明によれば、ドクターブレード片とロール外周面の間に紙滓、塗工滓などの異物が詰まった場合には、ドクターブレード片のロール外周面に対する跳ね上がり動作が自動的に誘発される。この跳ね上がり動作によって、ドクターブレード片の刃先とロール外周面に間に詰まった異物が自動的に、しかも効率良く除去される。
【００４２】
よって、従来のようにロールの回転を止めて人手によって詰まった異物を除去する必要がない。また、異物が詰まることに起因した掻き取り動作不良も直ちに解消される。
【図面の簡単な説明】
【図１】（ａ）および（ｂ）はそれぞれ、本発明を適用したドクター装置の概略断面構成図および矢印ｂの方向から見た矢視図である。
【図２】（ａ）および（ｂ）はそれぞれ、本発明を適用した別の実施に係るドクター装置の概略断面構成図および矢印ｂの方向から見た矢視図である。
【符号の説明】
１、１００  ドクター装置
２、１２０  ドクターブレード
２１〜２６、１２１〜１２６  ドクターブレード片
２１ａ〜２６ａ、１２１ａ〜１２６ａ  ドクターブレード片の刃先
２１ｂ〜２６ｂ、１２１ｂ〜１２６ｂ  ドクターブレード片に開けた貫通孔
３、１３０  ブレード支持機構
４、１４０  ブレード片支持部
４１、４２、１４１、１４２  上下のブレード保持板
４３、１４３  ブレード支持板
５１〜５４、１５１〜１５４  ずれ止め用ビス（ずれ止め部材）
６１〜６６、１６１〜１６６  脱落防止用ビス（脱落防止部材）
７、１７０  弾性押しつけ部
７１  エアーチューブ
７２  チューブ押さえ板
７３、７４、７５  位置調整ボルト（位置調整具）
１０、１１０  抄紙機ロール
１１、１１１  ロール外周面
１７１〜１７６  コイルばね
１８１〜１８６  押さえ板
１９１〜１９６  ばね受け
２０１〜２０６  調整用ボルト
【図１】
0003740328.tif 000002
【図２】
0003740328.tif 000003